(57)【特許請求の範囲】
【請求項１】
本体（２）と蓋（４）とから構成され、本体（２）に新聞郵便物通過口（３）設け、ドアポスト枠（１５）を設けたドアポストのドアポスト枠（１５）が新聞郵便物通過口（３）内に収まるよう上から覆うように本体（２）を設置できるように、新聞郵便物通過口（３）の大きさを縦８．５ｃｍ以上×横２７ｃｍ以上×厚さ１．５ｃｍ以上とし、又は新聞郵便物通過口（３）の大きさを縦６．５ｃｍ以上×横２６．５ｃｍ以上×厚さ１．５ｃｍ以上とし本体（２）背面の前記新聞郵便物通過口（３）の周囲に大きさが縦８．５ｃｍ以上×横２７ｃｍ以上×厚さ０．５ｃｍ以上のくぼみＡ（１０）を併設し、又は本体（２）背面の新聞郵便物通過口（３）周囲に縦６．５ｃｍ以上×横２６．５ｃｍ以上×厚さ１．５ｃｍ以上の大きさのくぼみＡ（１０）を設け前記くぼみＡ（１０）の周囲に縦８．５ｃｍ以上×横２７ｃｍ以上×厚さ０．５ｃｍ以上の大きさのくぼみＡ（１０）を併設し、又は本体（２）背面の新聞郵便物通過口（３）周囲に縦８．５ｃｍ以上×横２７ｃｍ以上×厚さ１．５ｃｍ以上の大きさのくぼみＡ（１０）を設けてくぼみＡ（１０）内にドアポスト枠（１５）が収まるように本体（２）を設置できるようにし、風が蓋（４）前面に当たった時に風圧で蓋（４）背面が本体（２）前面に対して押され蓋（４）背面と本体（２）前面が密接して密着する力が増すように、蓋（４）を引いて開くように本体（２）の前面に取り付け、ドアポスト口（９）の外側に本体（２）を設置することを特徴とするドアポスト蓋。
【請求項２】
本体（２）と蓋（４）とから構成され、本体（２）に新聞郵便物通過口（３）設け、風が蓋（４）前面に当たった時に風圧で蓋（４）背面が本体（２）前面に押され蓋（４）背面と本体（２）前面が密接して密着する力が増すように、蓋（４）は引いて開くように本体（２）の前面に取り付け、ドアポスト口（９）の外側に本体（２）設置し、蓋（４）前面に当たる風の風圧で蓋（４）背面が本体（２）前面を押し密着する力が増すように、蓋（４）前面上にくぼみＢ（１１）を設けたことを特徴とするドアポスト蓋。
【請求項３】
蓋（４）前面に当たる風の風圧で蓋（４）背面が本体（２）前面を押し密着する力が増すように、前記の蓋（４）前面上のくぼみＢ（１１）の形状を表面が楕円形でくぼみＢ（１１）の底に向かって湾曲していることを特徴とする請求項２記載のドアポスト蓋。
【請求項４】
蓋（４）前面に当たる風の風圧で蓋（４）背面が本体（２）前面を押し密着する力が増すように、前記の蓋（４）前面上のくぼみＢ（１１）の深さを２ｍｍ以上としたことを特徴とする請求項２記載のドアポスト蓋。
【請求項５】
本体（２）と蓋（４）とから構成され、本体（２）に新聞郵便物通過口（３）設け、風が蓋（４）前面に当たった時に風圧で蓋（４）背面が本体（２）前面に押され蓋（４）背面と本体（２）前面が密接して密着する力が増すように、蓋（４）は引いて開くように本体（２）の前面に取り付け、ドアポスト口（９）の外側に本体（２）を設置し、蓋（４）前面に当たる風の風圧で蓋（４）背面が本体（２）前面を押し密着する力が増すように、蓋（４）の前面上に凸枠（１２）を設けたことを特徴とするドアポスト蓋。
【請求項６】
蓋（４）前面に当たる風の風圧で蓋（４）背面が本体（２）前面を押し密着する力が増すように、前記の蓋（４）前面上の凸枠（１２）を蓋（４）の外周囲に沿って又は蓋（４）の外周囲にできるだけ接するように設け高さを２ｍｍ以上としたことを特徴とする請求項５記載のドアポスト蓋。
【請求項７】
本体（２）と蓋（４）とから構成され、本体（２）に新聞郵便物通過口（３）設け、風が蓋（４）前面に当たった時に風圧で蓋（４）背面が本体（２）前面に押され蓋（４）背面と本体（２）前面が密接して密着する力が増すように、蓋（４）は引いて開くように本体（２）の前面に取り付け、ドアポスト口（９）の外側に本体（２）を設置し、蓋（４）が閉じたときに本体（２）前面と蓋（４）背面の間の接触部に生じる隙間を覆い風が侵入しないように蓋（４）は本体（２）の前面及び全周囲側面を覆い蓋（４）の全周囲側面が本体（２）全周囲側面に密接するような形状及び大きさにし、蓋（４）の全周囲側面の深さを５ｍｍ以上としたことを特徴とするドアポスト蓋。
【請求項８】
本体（２）と蓋（４）とから構成され、本体（２）に新聞郵便物通過口（３）設け、風が蓋（４）前面に当たった時に風圧で蓋（４）背面が本体（２）前面に押され蓋（４）背面と本体（２）前面が密接して密着する力が増すように、蓋（４）は引いて開くように本体（２）の前面に取り付け、ドアポスト口（９）の外側に本体（２）を設置し、蓋（４）背面と本体（２）前面の間の接触部に生じる隙間を遮断し風が侵入しないように、本体（２）の新聞郵便物通過口（３）の周囲に溝（１３）を設け、蓋（４）を閉じたときに溝（１３）に対応しはまり込むように溝（１３）の深さよりも低く、細く、溝（１３）と同じ大きさ及び形状の凸枠（１２）を蓋（４）の背面に設け、蓋（４）の大きさは蓋（４）背面に設けられた凸枠（１２）の外周囲より全ての外周辺において大きいか同じで本体（２）より小さいか同じ大きさで、又は溝（１３）に直接風が入り込んだり風が蓋（４）を背面から押し開かないように蓋（４）の大きさは本体（２）に設けられた溝（１３）の外周囲よりも１ｃｍ以下広い大きさで、蓋（４）の形状は溝（１３）と同じか本体（２）前面と同じであることを特徴とするドアポスト蓋。
【発明の詳細な説明】
【技術分野】
【０００１】
この発明は、ドアポスト口の前面に設置するドアポスト口からの外気と隙間風の侵入を防止し、外部の騒音の侵入を防止する蓋に関するものである。
【背景技術】
【０００２】
従来、一般的に使用されてきたドアポスト用外気侵入隙間風防止装置は図２３に示すように、ドアポスト口９の上部内側にドアポスト蓋１４が内側に開くように蝶番によってドア内側に開閉自在に連結され、ドアポスト蓋１４がドアポスト口９に対して閉じるように蝶番にばねが設けられたものである。
また、出願されているドアポスト用外気侵入隙間風防止装置としては、特許文献１及び特許文献２に開示され図２４に示すように、ドアポスト口９周囲にドアポスト枠１５を設け、ドアポスト蓋１４が内側に開くようにドアポスト枠１５の上部にドアポスト蓋１４が連結されたものである。
また、他に出願されているドアポスト用外気侵入隙間風防止装置としては、特許文献３では図２５に示すように、ドア１の内側にインドアポストの蓋１７が蝶番によって内側に開閉自在に連結された穴のない箱型のインドアポスト本体１６を設置したものである。
【特許文献１】実開昭５６−１５５６８３号公報
【特許文献２】実開昭５９−１９６１８４号公報
【特許文献３】実開平０６−０５０５７９号公報
【発明の開示】
【発明が解決しようとする課題】
【０００３】
しかしながら、以上の技術によれば下記のような問題を有していた。
１．ドアポスト蓋がドアポスト口の内側に開くように設置されているため、風が強い場合風圧によりドアポスト蓋が内側に押されてドアポスト蓋とドアポスト口の間に隙間ができ外気や隙間風が侵入していた。そのため、従来のドアポスト蓋の上をガムテープなどでふさいで外気や隙間風の侵入を防いでいたが、それによりドアポストとしての機能が失われていた。
２．ドアポスト口にドアポスト蓋が閉じた状態が持続し密着するようにばねを設けていたが、ばねが錆びたり劣化したりすることによりドアポスト蓋がドアポスト口に閉じた状態を維持できなくなり密着する力が弱くなるため外気や隙間風が入りやすくなり、特に風が強いときには、外気や隙間風の侵入による騒音が激しく、室温を下降させた。そのため、従来のドアポスト蓋の上をガムテープなどでふさいで外気や隙間風の侵入を防いでいたが、それによりドアポストとしての機能が失われていた。
【０００４】
３．ドアポスト蓋が内側に開くように設計されドアポスト口の外側には工夫がなされていないので、ドアポスト蓋とドアポスト口の間にできる隙間からインドアポスト内に隙間風が入りやすく、特に風が強いときには、隙間風による騒音が激しかった。
４．特許文献３に開示されているインドアポストでは、ドアポスト口に特別な工夫がなされていないためインドアポスト内に外気や風が侵入しやすく、インドアポスト本体は穴がない箱型のためインドアポスト内に侵入した外気や風による圧力がかかるため、インドアポスト本体とインドアポストの蓋との間のわずかな隙間から室内に外気や隙間風が侵入し室温が下降した。
【０００５】
５．特許文献３に開示されているインドアポストでは、インドアポストを設置するために既存のインドアポストを取り外す必要があるため、既存のインドアポストを取り外せない構造のドアには取り付けられなかった。
・  特許文献３に開示されているインドアポストでは、既存のインドアポストと取り代える必要があるため、既存のインドアポストをそのまま使うことができなかった。
【０００６】
６．特許文献１及び特許文献２及び特許文献３に開示されているドアポスト蓋及びインドアポストでは、設置するために既存のインドアポスト及び／又はドアポスト枠を取り外す必要があり、幾つものボルトで組み立てながら工具を使い設置する複雑な作業が必要なため、素人による設置は困難であった。
そこで、本発明は、これらの欠点を解決できるものを提供することを課題とするものである。
【課題を解決するための手段】
【０００７】  以上の課題を解決するために、第一発明として、本体２と蓋４とから構成され、本体２に新聞郵便物通過口３設け、ドアポスト枠１５を設けたドアポストのドアポスト枠１５が新聞郵便物通過口３内に収まり上から覆うように本体２を設置できるように、新聞郵便物通過口３の大きさを縦８．５ｃｍ以上×横２７ｃｍ以上×厚さ１．５ｃｍ以上とし、又は新聞郵便物通過口３の大きさを縦６．５ｃｍ以上×横２６．５ｃｍ以上×厚さ１．５ｃｍ以上とし本体２背面の前記新聞郵便物通過口３の周囲に大きさが縦８．５ｃｍ以上×横２７ｃｍ以上×厚さ０．５ｃｍ以上のくぼみＡ１０を併設し、又は本体２背面の新聞郵便物通過口３周囲に縦６．５ｃｍ以上×横２６．５ｃｍ以上×厚さ１．５ｃｍ以上の大きさのくぼみＡ１０を設け前記くぼみＡ１０の周囲に縦８．５ｃｍ以上×横２７ｃｍ以上×厚さ０．５ｃｍ以上の大きさのくぼみＡ１０を併設し、又は本体２背面の新聞郵便物通過口３周囲に縦８．５ｃｍ以上×横２７ｃｍ以上×厚さ１．５ｃｍ以上の大きさのくぼみＡ１０を設けてくぼみＡ１０内にドアポスト枠１５が収まるように本体２を設置できるようにし、風が蓋４前面に当たった時に風圧で蓋４背面が本体２前面に対して押され蓋４背面と本体２前面が密接して密着する力が増すように、蓋４を引いて開くよう本体２の前面に取り付け、ドアポスト口９の外側に本体２を設置することを特徴とするドアポスト蓋。【０００８】  また、第二発明として、本体２と蓋４とから構成され、本体２に新聞郵便物通過口３設け、風が蓋４前面に当たった時に風圧で蓋４背面が本体２前面に押され蓋４背面と本体２前面が密接して密着する力が増すように、蓋４は引いて開くように本体２の前面に取り付け、ドアポスト口９の外側に本体２を設置し、蓋４前面に当たる風の風圧で蓋４背面が本体２を前面を押し密着する力が増すように、蓋４の前面上にくぼみＢ１１を設けたことを特徴とするドアポスト蓋である。
また、第三発明は、蓋４前面に当たる風の風圧で蓋４背面が本体２前面を押し密着する力が増すように、前記の蓋４の前面上のくぼみＢ１１の形状を表面が楕円形でくぼみＢ１１の底に向かって湾曲していることを特徴とするドアポスト蓋である。【０００９】  また、第四発明は、蓋４前面に当たる風の風圧で蓋４背面が本体２前面を押し密着する力が増すように、前記の蓋４前面上のくぼみＢ１１の深さを２ｍｍ以上としたことを特徴とするドアポスト蓋である。
また、第五発明として、本体２と蓋４とから構成され、本体２に新聞郵便物通過口３設け、風が蓋４前面に当たった時に風圧で蓋４背面が本体２前面に押され蓋４背面と本体２前面が密接して密着する力が増すように、蓋４は引いて開くように本体２の前面に取り付け、ドアポスト口９の外側に本体２を設置し、蓋４前面に当たる風の風圧で蓋４背面が本体２前面を押し密着する力が増すように、蓋４の前面上に凸枠１２を設けたことを特徴とするドアポスト蓋である。【００１０】  また、第六発明は、蓋４前面に当たる風の風圧で蓋４背面が本体２前面を押し密着する力が増すように、前記の蓋４前面上の凸枠１２を蓋４の外周囲に沿って又は蓋４の外周囲にできるだけ接するように設け高さを２ｍｍ以上としたことを特徴とするドアポスト蓋である。
また、第七発明は、本体２と蓋４とから構成され、本体２に新聞郵便物通過口３設け、風が蓋４前面に当たった時に風圧で蓋４背面が本体２前面に押され蓋４背面と本体２前面が密接して密着する力が増すように、蓋４は引いて開くように本体２の前面に取り付け、ドアポスト口９の外側に本体２を設置し、蓋４が閉じたときに本体２前面と蓋４背面の間の接触部に生じる隙間を覆い風が侵入しないように蓋４は本体２の前面及び全周囲側面を覆い蓋４の全周囲側面が本体２全周囲側面に密接するような形状及び大きさにし、蓋４の全周囲側面の深さを５ｍｍ以上としたことを特徴とするドアポスト蓋である。【００１１】  また、第八発明は、本体２と蓋４とから構成され、本体２に新聞郵便物通過口３設け、風が蓋４前面に当たった時に風圧で蓋４背面が本体２前面に押され蓋４背面と本体２前面が密接して密着する力が増すように、蓋４は引いて開くように本体２の前面に取り付け、ドアポスト口９の外側に本体２を設置し、蓋４背面と本体２前面の間の接触部に生じる隙間を遮断し風が侵入しないように、本体２の新聞郵便物通過口３の周囲に溝１３を設け、蓋４を閉じたときに溝１３に対応しはまり込むように溝１３の深さよりも低く、細く、溝１３と同じ大きさ及び形状の凸枠１２を蓋４の背面に設け、蓋４の大きさは蓋４背面に設けられた凸枠１２の外周囲より全ての外周辺において大きいか同じで本体２より小さいか同じ大きさで、又は溝１３に直接風が入り込んだり風が蓋４を背面から押し開かないように蓋４の大きさは本体２に設けられた溝１３の外周囲よりも１ｃｍ以下広い大きさで、蓋４の形状は溝１３と同じか本体２前面と同じであることを特徴とするドアポスト蓋。
【発明の効果】
【００１３】  第一発明によれば、特許文献１及び特許文献２に開示されているような突出しているタイプのドアポスト枠が設けられている現在使用されているドアポストのほとんどのドアポスト枠は新聞郵便物通過口内及び本体背面の新聞郵便物通過口周囲に設けられたくぼみＡ内に収まり、既存のドアポスト枠及びドアポスト蓋を取り除くことなく上から覆うように設置できるため、各種ドアに素人でも容易に設置が可能であり、本発明のドアポスト蓋と既に取り付けられているドアポスト枠が設けられたドアポスト蓋の二重の蓋により隙間風や外気の侵入をより効果的に防げる。なお、現在一般に使用されているドアポスト枠と新聞郵便物通過口及びくぼみＡの大きさとの関係を実施例２に示す。
また、蓋がドアポスト口の外側に設置され、蓋を引いて開く構造であるため、蓋が風圧で押されて本体前面に密接するため本体前面と蓋背面の間に生じる隙間が狭められ、外気や隙間風がドアポスト口より中に侵入することを防げるので、外気や隙間風の侵入による室温の下降と隙間風による騒音を防止できる。構造上、特許文献１及び特許文献２に開示されているような既存のドアポスト蓋は風が強いほど風圧によりドアポスト蓋が押されてドアポスト枠との間に隙間ができるため外気や隙間風が侵入しやすかったが、本発明のドアポスト蓋は風が強いほど蓋が風圧で押されて本体前面に密接する力が増すため蓋背面と本体前面との間に生じる隙間を狭め外気や隙間風を侵入しにくくする。
また、ドアポストの機能を維持できる。【００１４】  第二発明によれば、本発明のドアポスト蓋は、蓋がドアポスト口の外側に設置され、蓋を引いて開く構造であるため、蓋が風圧で押されて本体前面に密接するため本体前面と蓋背面の間に生じる隙間が狭められ、外気や隙間風がドアポスト口より中に侵入することを防げるので、外気や隙間風の侵入による室温の下降と隙間風による騒音を防止できる。構造上、特許文献１及び特許文献２に開示されているような既存のドアポスト蓋は風が強いほど風圧によりドアポスト蓋が押されてドアポスト枠との間に隙間ができるため外気や隙間風が侵入しやすかったが、本発明のドアポスト蓋は風が強いほど蓋が風圧で押されて本体前面に密接する力が増すため蓋背面と本体前面との間に生じる隙間を狭め外気や隙間風を侵入しにくくする。
また、蓋の前面上にくぼみＢを設けたため、蓋に当たった風はくぼみＢがない場合よりも強い力で蓋背面を本体前面に押し密着させるため蓋背面と本体前面との間に生じる隙間をより効果的に狭め、外気や隙間風がドアポスト口より中に侵入することをより効果的に防げるので、外気や隙間風の侵入による室温の下降と隙間風による騒音を効果的に防止できる。【００１５】  第三発明によれば、本発明のドアポスト蓋は、くぼみＢの形状を表面が楕円形で底に向かって湾曲状にしたことで風圧により蓋背面が本体前面を押し密着する力がくぼみＢが他の形状の場合よりも最も効果的に増し蓋背面と本体前面との間に生じる隙間を狭め、外気や隙間風がドアポスト口より中に侵入することをより効果的に防げるので、外気や隙間風の侵入による室温の下降と隙間風による騒音を防止できる。なお、くぼみＢの形状及び個数と蓋が本体を押す力との関係を実施例３及び比較例１〜比較例８に示す。【００１６】  第四発明によれば、本発明のドアポスト蓋は、くぼみＢの深さを２ｍｍ以上にしたことで風圧により蓋が本体背面を押し密着する力が効果的に増し蓋背面と本体前面との間に生じる隙間を狭め、外気や隙間風がドアポスト口より中に侵入することをより効果的に防げるので、外気や隙間風の侵入による室温の下降と隙間風による騒音を防止できる。なお、くぼみＢの深さと蓋が本体を押す力との関係を実施例３及び比較例１〜比較例８に示す。【００１７】  第五発明によれば、本発明のドアポスト蓋は、蓋がドアポスト口の外側に設置され、蓋を引いて開く構造であるため、蓋が風圧で押されて本体前面に密接するため本体前面と蓋背面の間に生じる隙間が狭められ、外気や隙間風がドアポスト口より中に侵入することを防げるので、外気や隙間風の侵入による室温の下降と隙間風による騒音を防止できる。構造上、特許文献１及び特許文献２に開示されているような既存のドアポスト蓋は風が強いほど風圧によりドアポスト蓋が押されてドアポスト枠との間に隙間ができるため外気や隙間風が侵入しやすかったが、本発明のドアポスト蓋は風が強いほど蓋が風圧で押されて本体前面に密接する力が増すため蓋背面と本体前面との間に生じる隙間を狭め外気や隙間風を侵入しにくくする。
また、蓋の前面上に凸枠を設けたため、凸枠がない場合よりも風圧により蓋が本体前面を押し密着する力が増し蓋背面と本体前面との間の隙間を狭め、外気や隙間風がドアポスト口より中に侵入することをより効果的に防げるので、外気や隙間風の侵入による室温の下降と隙間風による騒音を防止できる。なお、凸枠の形状及び大きさと蓋が本体を押す力との関係を実施例４及び比較例９〜比較例１２に示す。【００１８】  第六発明によれば、本発明のドアポスト蓋は、凸枠を蓋前面の外周囲に沿って又は蓋前面の外周囲にできるだけ接するように設け、凸枠の高さを２ｍｍ以上としたため、風圧により蓋が本体前面を押し密着する力がより効果的に増し蓋背面と本体前面との間に生じる隙間を狭め、外気や隙間風がドアポスト口より中に侵入することをより効果的に防げるので、外気や隙間風の侵入による室温の下降と隙間風による騒音を防止できる。なお、凸枠の高さ及び形状及び大きさと蓋が本体を押す力との関係を実施例４及び比較例９〜比較例１２に示す。【００１９】  第七発明によれば、本発明のドアポスト蓋は、蓋がドアポスト口の外側に設置され、蓋を引いて開く構造であるため、蓋が風圧で押されて本体前面に密接するため本体前面と蓋背面の間に生じる隙間が狭められ、外気や隙間風がドアポスト口より中に侵入することを防げるので、外気や隙間風の侵入による室温の下降と隙間風による騒音を防止できる。構造上、特許文献１及び特許文献２に開示されているような既存のドアポスト蓋は風が強いほど風圧によりドアポスト蓋が押されてドアポスト枠との間に隙間ができるため外気や隙間風が侵入しやすかったが、本発明のドアポスト蓋は風が強いほど蓋が風圧で押されて本体前面に密接する力が増すため蓋背面と本体前面との間に生じる隙間を狭め外気や隙間風を侵入しにくくする。
また、蓋が本体の前面及び全周囲側面を覆い蓋の全周囲側面が本体の全周囲側面に密接する形状及び大きさであるため、蓋が平面な場合に本体前面と蓋背面の間の接触面に生じるかもしれない隙間を蓋側面が密接して覆い隙間風や外気が侵入することを防げ、また蓋側面の深さが最低でも５ｍｍあるので本体前面と蓋背面の間の接触面に生じる隙間を上から覆い隠すのに十分な深さを確保でき隙間風や外気が侵入することを防げ、外気や隙間風の侵入による室温の下降や隙間風による騒音を防止できる。【００２０】  第八発明によれば、本発明のドアポスト蓋は、蓋がドアポスト口の外側に設置され、蓋を引いて開く構造であるため、蓋が風圧で押されて本体前面に密接するため本体前面と蓋背面の間に生じる隙間が狭められ、外気や隙間風がドアポスト口より中に侵入することを防げるので、外気や隙間風の侵入による室温の下降と隙間風による騒音を防止できる。構造上、特許文献１及び特許文献２に開示されているような既存のドアポスト蓋は風が強いほど風圧によりドアポスト蓋が押されてドアポスト枠との間に隙間ができるため外気や隙間風が侵入しやすかったが、本発明のドアポスト蓋は風が強いほど蓋が風圧で押されて本体前面に密接する力が増すため蓋背面と本体前面との間に生じる隙間を狭め外気や隙間風を侵入しにくくする。【００２１】  また、本体の新聞郵便物通過口の周囲に溝を設け、蓋を閉じたときに溝に対応しはまり込むように溝より低く、細く、溝と同じ形状の凸枠を蓋背面に設けたため、蓋を閉じたときに蓋背面と本体前面の間の接触部に生じるかもしれない隙間を溝にはまり込んだ凸枠が遮断するため隙間風や外気が侵入することを防げ、また、蓋の大きさが蓋背面に設けられた凸枠の外周囲の全ての外周辺において同じ大きさで蓋の外周囲上背面に凸枠を設けた場合、蓋の背面に風が入り込んで蓋の背面から蓋が押され風圧により蓋が開くことを防げるため外気や隙間風の侵入による室温の下降や隙間風による騒音を防止でき、また、蓋の大きさが蓋背面に設けられた凸枠の外周囲の大きさより全ての外周辺において広い場合、蓋は溝を覆うため溝に直接風が入り込むことを防ぎ風圧により蓋を押し開いたり隙間風が侵入することが防げ、また蓋が本体と同じ大きさか小さい場合蓋背面に風が入り込み風圧により蓋が背面から押し開かれることが防げ、また、蓋の大きさが本体に設けられた溝の外周囲の大きさよりも１ｃｍ以下広い大きさであれば、本体に設けられた溝より外側の蓋の部分は溝を上から覆うため溝に直接風が入り込むことを防ぎ風圧により蓋を押し開いたり隙間風が侵入することを防げ、本体に設けられた溝より外側の蓋の部分は蓋前面に当たる風の風圧で本体前面に押され本体前面と本体に設けられた溝より外側の蓋の部分の背面との間に生じる隙間を狭め、本体前面と本体に設けられた溝より外側の蓋の部分の背面との間にわずかに生じる隙間に風が侵入した場合でも蓋を背面から押し開くほどの風圧は得られないため、外気や隙間風の侵入による室温の下降や隙間風による騒音を防止できる。
【発明を実施するための最良の形態】
【００２３】
以下、本発明のドアポスト蓋について、実施例及び比較例により本発明を詳細に説明する。なお、本発明はその要旨を超えない限り、以下の実施例及び比較例に限定されるものではない。
【実施例１】
【００２４】
本発明の請求項１における一実施形態を、図１に示す。
図１は、鉄、ステンレス、アルミ、スチ−ル、プラスチック、木材などを素材として構成された本案のドアポスト蓋で、本体２と蓋４とから構成されている。
本体２は前面が長方形で、ドアポスト口９に対応するように長方形の新聞郵便物通過口３を本体２中央部に設ける。
本体２前面の新聞郵便物通過口３の下方部中央に、磁石５をはめ込むための深さが磁石５と金属片６を合わせた厚みと同じみぞを設け、みぞに磁石５をはめ込み接着剤などで固定する。
蓋４は本体２前面と同じ大きさで、蓋４の形状は本体２前面と同じ長方形で、蓋４背面の下方部中央に蓋４を閉じたときに本体２の磁石５に対応するように磁石５より少し小さい金属片６を接着剤などで取り付ける。
蓋４前面の下方部中央に蓋４を開く際に指をかけるつまみ８を接着剤などで取り付ける。
蓋４は上部左右の二ヵ所で蝶番７を介して本体２の上部側面に開閉自在に連結される。
【００２５】
本発明は以上の構造でこれを使用するときは、ドア１のドアポスト口９に本体２の新聞郵便物通過口３を合わせて、本体２を磁石又は両面テープ又は接着又はねじなどによってドア１外部に設置する。
新聞や郵便物をドア１の内側に入れるときは、つまみ８をつまんで蓋４を引いて開き、新聞郵便物通過口３とドアポスト口９を通して新聞や郵便物をドア１の内側に入れる。なお、蓋４が閉じているときは、磁石５と金属片６によって生じる磁力によって蓋４は本体２に密着し隙間をなくすため、外気と隙間風がドアポスト内に侵入することを防ことができ、風があるときでも蓋４前面に当たる風が蓋４が本体２前面に密着する力を増加させるため本体２前面と蓋４背面の間の接触面から外気と隙間風が侵入することを防げる。
【００２６】
「実施形態の効果」
この実施形態によれば、次に記載する効果を有する。
１．本体に設けられた磁石と蓋に設けられた金属片が密着し蓋背面と本体前面が密着し閉じた状態を保つため、本体前面と蓋背面の間の隙間から隙間風や外気が室内に侵入しにくくなるので、断熱効果が大きく隙間風による騒音が少ない。
２．蓋が本体の前面に取り付けられ本体をドアポスト口の外側に設置したため、蓋前面に当たる風よって蓋背面が本体前面に押され密着するため、風が強いほど風圧により本体前面と蓋背面の間の隙間が狭まり隙間風や外気が室内に侵入しにくくなるので、断熱効果が大きく隙間風による騒音が少ない。
３．蓋が開閉可能なためドアポストの機能を維持できる。
４．本発明のドアポスト蓋は本体に新聞郵便物通過口を設け既存のドアポスト口の上から覆うように設置する構造なため、既存のドアポスト蓋およびインドアポストをそのまま使え、各種ドアに取り付け可能である。
５．本発明のドアポスト蓋は既存のドアポスト口の上を覆うように両面テープなどで設置する構造なため、設置や取り外しが容易で、他のドアへの付け代えも容易である。
６．本発明のドアポスト蓋は既存のドアポスト蓋の上から覆うように設置する構造なため、既存のドアポスト蓋と本発明のドアポスト蓋の二重の蓋により隙間風や外気がドアポスト口から侵入しにくくなる。
【実施例２】
【００２７】
この発明の請求項２における一実施形態を、図２に示す。
図２は、鉄、ステンレス、アルミ、スチ−ル、プラスチック、木材などを素材として構成された本案のドアポスト蓋で、本体２と蓋４とから構成されている。
本体２は前面が長方形で、縦８．５ｃｍ以上×横２７ｃｍ以上×厚さ１．５ｃｍ以上の長方形の新聞郵便物通過口３を本体２中央部に設ける。
本体２前面の新聞郵便物通過口３の下方部中央に、磁石５をはめ込むための深さが磁石５と金属片６を合わせた厚みと同じみぞを設け、みぞに磁石５をはめ込み接着剤などで固定する。
蓋４は本体２前面と同じ大きさで、蓋４の形状は本体２前面と同じ長方形で、背面の下方部中央に蓋４を閉じたときに本体２の磁石５に対応するように磁石５より少し小さい金属片６を接着剤などで取り付ける。
蓋４前面の下方部中央に蓋４を開く際に指をかけるつまみ８を接着剤などで取り付ける。
蓋４は上部左右の二ヵ所で蝶番７を介して本体２の上部側面に開閉自在に連結される。
【００２８】
本発明は以上の構造でこれを使用するときは、ドア１のドアポスト枠１５が本体２の新聞郵便物通過口３の中に入るように合わせて、本体２を磁石又は両面テープ又は接着又はねじなどによってドア１外部に設置する。
新聞や郵便物をドア１の内側に入れるときは、つまみ８をつまんで蓋４を引いて開き、新聞郵便物通過口３とドアポスト蓋１４を通して新聞や郵便物をドア１の内側に入れる。なお、蓋４が閉じているときは、磁石５と金属片６によって生じる磁力によって蓋４は本体２に密着し隙間をなくすため、外気と隙間風がドアポスト内に侵入することを防ことができ、風があるときでも蓋４前面に当たる風が蓋４背面が本体２前面に密着する力を増加させるため本体２前面と蓋４背面の間の接触面から外気と隙間風が侵入することを防げる。
【００２９】
なお、ドアポスト枠が設けられたドアポスト口の上から本発明のドアポスト蓋を覆うように設置できるようにするための新聞郵便物通過口３及びくぼみA１０の好適な大きさを知るために、百棟のアパート及びマンションのドアポスト枠の寸法を計測した。結果を表１に示す。
【００３０】
【表１】
0004796206.tif 000002
【００３１】
上記表１の結果から、調査した現在使用されているドアポスト枠の形状は１００％が前面が長方形で大きさは８６％が縦８ｃｍ以下×横２６．５ｃｍ以下、１００％が厚さ１．３ｃｍ以下であることが分かる。したがって、新聞郵便物通過口及びくぼみAは大きさが縦８．５ｃｍ以上×横２７ｃｍ以上×厚さ１．５ｃｍ以上で形状は縦８ｃｍ×横２６．５ｃｍの長方形で厚さ１．３ｃｍのドアポスト枠が中に収まる形状であれば調査したドアポスト枠の８６％以上が新聞郵便物通過口内及びくぼみA内に収まり、さらに調査したドアポスト枠の５％は厚さが０ｃｍなため、結果として調査した９１％以上のドアポスト枠の上から本発明のドアポスト蓋を覆うように設置できることが分かる。
【００３２】
また、調査したドアポスト枠の１００％は形状は前面が長方形で大きさが縦８．３ｃｍ以下×横２８ｃｍ以下×厚さ１．３ｃｍ以下なので、新聞郵便物通過口及びくぼみAは大きさが縦９ｃｍ以上×横２８．５ｃｍ以上×厚さ１．５ｃｍ以上で形状は縦８．３ｃｍ×横２８ｃｍの長方形で厚さ１．３ｃｍのドアポスト枠が中に収まる形状であれば、現在使用されている全てのドアポスト枠の上から本発明のドアポスト蓋を覆うように設置できると予想されるため最も好ましいことが分かる。
【００３３】
また、調査したドアポスト枠で最も多く使用されているものは形状が前面は長方形で大きさが縦６．１ｃｍ×横２５．８ｃｍ×厚さ１．２ｃｍであるため新聞郵便物通過口の大きさが縦６．５ｃｍ以上×横２６．５ｃｍ以上×厚さ１．５ｃｍ以上で形状が縦６．１ｃｍ×横２５．８ｃｍの長方形で厚さ１．２ｃｍのドアポスト枠が中に収まる形状とすれば調査した現在使用されているドアポスト枠の５０％以上が新聞郵便物通過口内に収まり、さらに調査したドアポスト枠で二番目に多く使用されているものは形状が前面は長方形で大きさが縦８ｃｍ×横２６．５ｃｍ×厚さ０．３ｃｍであるため本体背面の前記新聞郵便物通過口の周囲に大きさが縦８．５ｃｍ以上×横２７ｃｍ以上×厚さ０．５ｃｍ以上で形状が縦８ｃｍ×横２６．５ｃｍの長方形で厚さ０．３ｃｍのドアポスト枠が中に収まる形状のくぼみAを併設すれば調査した現在使用されているドアポスト枠の７６％以上が新聞郵便物通過口及びくぼみA内に収まり、さらに調査したドアポスト枠の５％は厚さが０ｃｍなため、結果として調査した８１％以上のドアポスト枠の上から本発明のドアポスト蓋を覆うように設置できることが分かる。
【００３４】
また、調査したドアポスト枠で最も多く使用されているものは形状が前面は長方形で大きさが縦６．１ｃｍ×横２５．８ｃｍ×厚さ１．２ｃｍであるため本体背面の新聞郵便物通過口周囲に縦６．５ｃｍ以上×横２６．５ｃｍ以上×厚さ１．５ｃｍ以上の大きさで形状が縦６．１ｃｍ×横２５．８ｃｍの長方形で厚さ１．２ｃｍのドアポスト枠が中に収まる形状のくぼみAを設け、さらに調査したドアポスト枠で二番目に多く使用されているものは形状が前面は長方形で大きさが縦８ｃｍ×横２６．５ｃｍ×厚さ０．３ｃｍであるため前記くぼみAの周囲に縦８．５ｃｍ以上×横２７ｃｍ以上×厚さ０．５ｃｍ以上の大きさで形状が縦８ｃｍ×横２６．５ｃｍの長方形で厚さ０．３ｃｍのドアポスト枠が中に収まる形状のくぼみAを併設すれば調査した現在使用されているドアポスト枠の７６％以上が前記の二個のくぼみA内に収まり、さらに調査したドアポスト枠の５％は厚さが０ｃｍなため、結果として調査した８１％以上のドアポスト枠の上から本発明のドアポスト蓋を覆うように設置できることが分かる。
【００３５】
「実施形態の効果」
この実施形態によれば、次に記載する効果を有する。
１．本体に設けられた磁石と蓋に設けられた金属片が密着し蓋背面と本体前面が密着し閉じた状態を保つため、本体前面と蓋背面の間の隙間から隙間風や外気が室内に侵入しにくくなるので、断熱効果が大きく隙間風による騒音が少ない。
２．蓋が本体の前面に取り付けられ本体をドアポスト口の外側に設置したため、蓋前面に当たる風よって蓋背面が本体前面に押され密着するため、風が強いほど風圧により本体前面と蓋背面の間の隙間が狭まり隙間風や外気が室内に侵入しにくくなるので、断熱効果が大きく隙間風による騒音が少ない。
３．蓋が開閉可能なためドアポストの機能を維持できる。
４．本発明のドアポスト蓋は既存のドアポスト枠の上から覆うように両面テープなどで設置する構造なため、既存のドアポスト蓋及びドアポスト枠及びインドアポストをそのまま使え、設置や取り外しが容易で、他のドアへの付け代えも容易である。
５．本発明のドアポスト蓋に設けられた新聞郵便物通過口は、現在使用されているドアポスト枠が設けられたドアポスト口のほとんどすべてのドアポスト枠が中に収まる大きさのため、既存のドアポスト枠及びドアポスト蓋を取り外すことなく本発明のドアポスト枠を上から覆うように設置でき、各種ドアに容易に設置できる。
６．本発明のドアポスト蓋は既存のドアポスト枠及びドアポスト蓋を取り外すことなく上から覆うように設置できるため、既存のドアポスト蓋と本発明のドアポスト蓋の二重の蓋の効果により隙間風や外気の侵入をより効果的に防げる。
【実施例３】
【００３６】
本発明の請求項３及び請求項４及び請求項５における一実施形態を、図１及び図４に示す。
図１及び図４は、鉄、ステンレス、アルミ、スチ−ル、プラスチック、木材などを素材として構成された本案のドアポスト蓋で、本体２と蓋４とから構成されている。
本体２は前面が長方形で、ドアポスト口９に対応するように長方形の新聞郵便物通過口３を本体２中央部に設ける。
本体２前面の新聞郵便物通過口３の下方部中央に、磁石５をはめ込むための深さが磁石５と金属片６を合わせた厚みと同じみぞを設け、みぞに磁石５をはめ込み接着剤などで固定する。
蓋４は本体２前面と同じ大きさで、蓋４の形状は本体２前面と同じ長方形で、蓋４の前面に表面が楕円形で底に向かって湾曲している形状のくぼみB１１を設け、蓋４背面の下方部中央に蓋４を閉じたときに本体２の磁石５に対応するように磁石５より少し小さい金属片６を接着剤などで取り付ける。
蓋４前面の下方部中央に蓋４を開く際に指をかけるつまみ８を接着剤などで取り付ける。
蓋４は上部左右の二ヵ所で蝶番７を介して本体２の上部側面に開閉自在に連結される。
【００３７】
本発明は以上の構造でこれを使用するときは、ドア１のドアポスト口９に本体２の新聞郵便物通過口３を合わせて、本体２を磁石又は両面テープ又は接着又はねじなどによってドア１外部に設置する。
新聞や郵便物をドア１の内側に入れるときは、つまみ８をつまんで蓋４を引いて開き、新聞郵便物通過口３とドアポスト口９を通して新聞や郵便物をドア１の内側に入れる。なお、蓋４が閉じているときは、磁石５と金属片６によって生じる磁力によって蓋４は本体２に密着し隙間をなくすため、外気と隙間風がドアポスト内に侵入することを防ことができ、風があるときでも蓋４前面上に設けたくぼみB１１の効果により蓋４前面に当たる風が蓋４が本体２前面に密着する力を増加させるため本体２前面と蓋４背面の間の隙間を狭め、外気と隙間風が侵入することを防げる。
【００３８】
「実施形態の効果」
この実施形態によれば、次に記載する効果を有する。
１．本体に設けられた磁石と蓋に設けられた金属片が密着し蓋背面と本体前面が密着し閉じた状態を保つため、本体前面と蓋背面の間の隙間から隙間風や外気が室内に侵入しにくくなるので、断熱効果が大きく隙間風による騒音が少ない。
２．蓋が本体の前面に取り付けられ本体をドアポスト口の外側に設置したため、蓋前面に当たる風よって蓋背面が本体前面に押され密着するため、風が強いほど風圧により本体前面と蓋背面の間の隙間が狭まり隙間風や外気が室内に侵入しにくくなるので、断熱効果が大きく隙間風による騒音が少ない。
３．蓋が開閉可能なためドアポストの機能を維持できる。
４．本発明のドアポスト蓋は本体に新聞郵便物通過口を設け既存のドアポスト口の上から覆うように設置する構造なため、既存のドアポスト蓋およびインドアポストをそのまま使え、各種ドアに取り付け可能である。
５．本発明のドアポスト蓋は既存のドアポスト口の上を覆うように両面テープなどで設置する構造なため、設置や取り外しが容易で、他のドアへの付け代えも容易である。
６．本発明のドアポスト蓋は既存のドアポスト蓋の上から覆うように設置する構造なため、既存のドアポスト蓋と本発明のドアポスト蓋の二重の蓋により隙間風や外気がドアポスト口から侵入しにくくなる。
７．蓋前面に設けられたくぼみBの効果により、くぼみBがない場合よりも強い力で蓋前面に当たる風が蓋背面を本体前面に押し密着させ蓋背面と本体前面の間の隙間を狭めるため隙間風や外気が室内に侵入するのを防ぐので、断熱効果が大きく騒音を軽減する。
【００３９】
以下、実施例３及び比較例１〜比較例８の図９〜図１８に示す蓋４を作成し、前記蓋４がはかりを押す力を下記の手法で測定し、結果を表２〜表１０に示した。
【００４０】
縦１０ｃｍ×横２４ｃｍ×厚さ２ｃｍの直方体の蓋４の前面中央に、縦９ｃｍ×横２３ｃｍの表面が楕円形で底に向かって湾曲している形状のくぼみB１１を設けた図９及び図１０に示す蓋４を作成し、蓋４をはかり（TANITA社製：形名KD−１７９）の上に置き、蓋４前面の上３０ｃｍの高さからヘアドライヤー（テスコム社製：形名SU１３）で蓋４前面中央に向かって冷風を当て、くぼみB１１の深さを変えて蓋４がはかりを押す力を測定し、風圧により蓋４が本体２前面を押し密着する力を評価した。結果を表２に示す。
【００４１】
【表２】
0004796206.tif 000003
【００４２】
（比較例１）
比較のために、縦１０ｃｍ×横２４ｃｍ×厚さ２ｃｍの直方体の蓋４の前面中央に、縦５ｃｍ×横１５ｃｍの表面が楕円形で底に向かって湾曲している形状のくぼみB１１を設け、くぼみB１１の深さを変えた図９及び図１０に示す蓋４を作成し、蓋４がはかりを押す力を実施例３と同様の手法で測定した。結果を表３に示す。
【００４３】
【表３】
0004796206.tif 000004
【００４４】
（比較例２）
比較のために、縦１０ｃｍ×横２４ｃｍ×厚さ２ｃｍの直方体の蓋４前面に三個の直径６ｃｍの表面が円形で底に向かって湾曲している形状のくぼみB１１を縦は蓋４の中央に横には隣接するくぼみB１１が２ｃｍの間隔をあけるように並べて設け、くぼみB１１の深さを変えた図１１に示す蓋４を作成し、蓋４がはかりを押す力を実施例３と同様の手法で測定した。結果を表４に示す。
【００４５】
【表４】
0004796206.tif 000005
【００４６】
（比較例３）
比較のために、縦１０ｃｍ×横２４ｃｍ×厚さ２ｃｍの直方体の蓋４の前面に、十個の直径３．５ｃｍの表面が円形で底に向かって湾曲している形状のくぼみB１１を縦には二個、横には五個並べて設け、くぼみB１１の深さを１ｃｍにした図１２に示す蓋４を作成し、蓋４がはかりを押す力を実施例３と同様の手法で測定した。結果を表５に示す。
【００４７】
【表５】
0004796206.tif 000006
【００４８】
（比較例４）
比較のために、縦１０ｃｍ×横２４ｃｍ×厚さ２ｃｍの直方体の蓋４の前面中央に縦９ｃｍ×横２３ｃｍの表面が楕円形で底に向かって湾曲している深さが１５ｍｍの形状のくぼみB１１を設け、くぼみB１１の上部を蓋４前面に対して垂直になるようにして、垂直な部分の深さを変えた図９及び図１３に示す蓋４を作成し、蓋４がはかりを押す力を実施例３と同様の手法で測定した。結果を表６に示す。
【００４９】
【表６】
0004796206.tif 000007
【００５０】
（比較例５）
比較のために、縦１０ｃｍ×横２４ｃｍ×厚さ２ｃｍの直方体の蓋４の前面中央に縦９ｃｍ×横２３ｃｍの表面が楕円形で底に向かって円錐状のくぼみB１１を設け、くぼみB１１の深さを変えた図９及び図１４に示す蓋４を作成し、蓋４がはかりを押す力を実施例３と同様の手法で測定した。結果を表７に示す。
【００５１】
【表７】
0004796206.tif 000008
【００５２】
（比較例６）
比較のために、縦１０ｃｍ×横２４ｃｍ×厚さ２ｃｍの直方体の蓋４の前面中央に縦９ｃｍ×横２３ｃｍの表面が長方形で底に向かって四角錐状のくぼみB１１を設け、くぼみB１１の深さを変えた図１４及び図１５に示す蓋４を作成し、蓋４がはかりを押す力を実施例３と同様の手法で測定した。結果を表８に示す。
【００５３】
【表８】
0004796206.tif 000009
【００５４】
（比較例７）
比較のために、縦１０ｃｍ×横２４ｃｍ×厚さ２ｃｍの直方体の蓋４の前面中央に縦９ｃｍ×横２３ｃｍの表面が楕円形で底に向かって円錐状にし円錐状の先端を平らにし断面が台形のくぼみB１１を設け、くぼみB１１の深さを変えた図１６及び図１７に示す蓋４を作成し、蓋４がはかりを押す力を実施例３と同様の手法で測定した。結果を表９に示す。
【００５５】
【表９】
0004796206.tif 000010
【００５６】
（比較例８）
比較のために、縦１０ｃｍ×横２４ｃｍ×厚さ２ｃｍの直方体の蓋４の前面中央に縦９ｃｍ×横２３ｃｍの表面が長方形で底に向かって四角錐状にし四角錐状の先端を平らにし断面が台形のくぼみB１１を設け、くぼみB１１の深さを変えた図１７及び図１８に示す蓋４を作成し、蓋４がはかりを押す力を実施例３と同様の手法で測定した。結果を表１０に示す。
【００５７】
【表１０】
0004796206.tif 000011
【００５８】
上記表２の結果から、蓋前面に設けられたくぼみBの深さは深いほど風が蓋を押す力が効果的に強くなるが、２ｍｍ以上の深さがあれば風が蓋を押す力が増す点で好ましいことが分かる。また、表２と表３の結果を比較すると、くぼみBの大きさは大きいほど風が蓋を押す力が効果的に強くなることが分かる。また、表２と表６及び表７及び表８及び表９及び表１０の結果を比較すると、くぼみBの形状は表面が楕円形で底に向かって湾曲している形状が風が蓋を押す力を強める点で最も優れているため最も好ましいことが分かる。
一方、表２と表４及び表５の結果を比較すると、くぼみBの個数を多くしてもくぼみBの大きさが小さいと風が蓋を押す力を強める点では効果性に劣ることが分かる。
したがって、くぼみBは個数が一個で蓋中央に設け、くぼみBの大きさはできるだけ大きく設け、形状は表面が楕円形で底に向かって湾曲している形状が風が蓋を押す力を増す点で最も効果的であるため最も好適であることが分かる。
【実施例４】
【００５９】
本発明の請求項６及び請求項７における一実施形態を、図５及び図６に示す。
図５及び図６は、鉄、ステンレス、アルミ、スチ−ル、プラスチック、木材などを素材として構成された本案のドアポスト蓋で、本体２と蓋４とから構成されている。
本体２は前面が長方形で、ドアポスト口９に対応するように長方形の新聞郵便物通過口３を本体２中央部に設ける。
本体２前面の新聞郵便物通過口３の下方部中央に、磁石５をはめ込むための深さが磁石５と金属片６を合わせた厚みと同じみぞを設け、みぞに磁石５をはめ込み接着剤などで固定する。
蓋４は本体２前面と同じ大きさで、蓋４の形状は本体２前面と同じ長方形で、蓋４前面の外周囲上に凸枠１２を設け、蓋４背面の下方部中央に蓋４を閉じたときに本体２の磁石５に対応するように磁石５より少し小さい金属片６を接着剤などで取り付ける。
蓋４は上部左右の二ヵ所で蝶番７を介して本体２の上部側面に開閉自在に連結される。
【００６０】
本発明は以上の構造でこれを使用するときは、ドア１のドアポスト口９に本体２の新聞郵便物通過口３を合わせて、本体２を磁石又は両面テープ又は接着又はねじなどによってドア１外部に設置する。
新聞や郵便物をドア１の内側に入れるときは、凸枠１２をつまんで蓋４を引いて開き、新聞郵便物通過口３とドアポスト口９を通して新聞や郵便物をドア１の内側に入れる。なお、蓋４が閉じているときは、磁石５と金属片６によって生じる磁力によって蓋４は本体２に密着し隙間をなくすため、外気と隙間風がドアポスト内に侵入することを防ぐことができ、風があるときでも蓋４の外周囲上に設けられた凸枠１２の効果により、蓋４前面に当たる風が蓋４が本体２前面を押し密着する力を増加させるため、本体２前面と蓋４背面の間の隙間を狭め、外気と隙間風が侵入することを防げる。
【００６１】
「実施形態の効果」
この実施形態によれば、次に記載する効果を有する。
１．本体に設けられた磁石と蓋に設けられた金属片が密着し蓋背面と本体前面が密着し閉じた状態を保つため、本体前面と蓋背面の間の隙間から隙間風や外気が室内に侵入しにくくなるので、断熱効果が大きく隙間風による騒音が少ない。
２．蓋が本体の前面に取り付けられ本体をドアポスト口の外側に設置したため、蓋前面に当たる風よって蓋背面が本体前面に押され密着するため、風が強いほど風圧により本体前面と蓋背面の間の隙間が狭まり隙間風や外気が室内に侵入しにくくなるので、断熱効果が大きく隙間風による騒音が少ない。
３．蓋が開閉可能なためドアポストの機能を維持できる。
４．本発明のドアポスト蓋は本体に新聞郵便物通過口を設け既存のドアポスト口の上から覆うように設置する構造なため、既存のドアポスト蓋およびインドアポストをそのまま使え、各種ドアに取り付け可能である。
５．本発明のドアポスト蓋は既存のドアポスト口の上を覆うように両面テープなどで設置する構造なため、設置や取り外しが容易で、他のドアへの付け代えも容易である。
６．本発明のドアポスト蓋は既存のドアポスト蓋の上から覆うように設置する構造なため、既存のドアポスト蓋と本発明のドアポスト蓋の二重の蓋により隙間風や外気がドアポスト口から侵入しにくくなる。
７．蓋前面上に設けられた凸枠の効果により、凸枠がない場合よりも強い力で蓋前面に当たる風が蓋背面を本体前面に押し密着させ蓋背面と本体前面の間の隙間を狭めるため隙間風や外気が室内に侵入することを防ぎ、断熱効果が大きく騒音を軽減する。
【００６２】
以下、実施例４及び比較例９〜比較例１２の図１９〜図２２に示す蓋４を作成し、前記蓋４がはかりを押す力を下記の手法で測定し、結果を表１１〜表１５に示した。
【００６３】
縦１０ｃｍ×横２４ｃｍ×厚さ２ｃｍの直方体の蓋４の前面の外周囲上に縦１０ｃｍ×横２４ｃｍの長方形に凸枠１２を設けた図１９に示す蓋４を作成し、蓋４をはかり（TANITA社製：形名KD−１７９）の上に置き、蓋４前面の上３０ｃｍの高さからヘアドライヤー（テスコム社製：形名SU１３）で蓋４前面中央に向かって冷風を当て、蓋４の凸枠１２の高さを変えて蓋４がはかりを押す力を測定し、風圧により蓋４が本体２前面を押し密着する力を評価した。結果を表１１に示す。
【００６４】
【表１１】
0004796206.tif 000012
【００６５】
（比較例９）
比較のために、縦１０ｃｍ×横２４ｃｍ×厚さ２ｃｍの直方体の蓋４の前面中央に縦９ｃｍ×横２３ｃｍの楕円形の凸枠１２を設け、凸枠１２の高さを変えた図２０に示す蓋４を作成し、蓋４がはかりを押す力を実施例４と同様の手法で測定した。結果を表１２に示す。
【００６６】
【表１２】
0004796206.tif 000013
【００６７】
（比較例１０）
比較のために、縦１０ｃｍ×横２４ｃｍ×厚さ２ｃｍの直方体の蓋４の前面中央に縦７ｃｍ×横１３ｃｍの長方形に凸枠１２を設け、凸枠１２の高さを変えた図２１に示す蓋４を作成し、蓋４がはかりを押す力を実施例４と同様の手法で測定した。結果を表１３に示す。
【００６８】
【表１３】
0004796206.tif 000014
【００６９】
（比較例１１）
比較のために、縦１０ｃｍ×横２４ｃｍ×厚さ２ｃｍの直方体の蓋４の前面中央に縦７．５ｃｍ×横１７ｃｍの楕円形の凸枠１２を設け、凸枠１２の高さを変えた図２０に示すような蓋４を作成し、蓋４がはかりを押す力を実施例４と同様の手法で測定した。結果を表１４に示す。
【００７０】
【表１４】
0004796206.tif 000015
【００７１】
（比較例１２）
比較のために、縦１０ｃｍ×横２４ｃｍ×厚さ２ｃｍの直方体の蓋４の前面中央に縦９ｃｍ×横２３ｃｍの表面が楕円形で底に向かって湾曲している深さが１５ｍｍの形状のくぼみB１１を設け、蓋４前面の外周囲上に長方形に凸枠１２を設け、凸枠１２の高さを変えた図２２に示す蓋４を作成し、蓋４がはかりを押す力を実施例４と同様の手法で測定した。結果を表１５に示す。
【００７２】
【表１５】
0004796206.tif 000016
【００７３】
上記表１１の結果から、蓋前面上に設けられた凸枠の高さは高いほど風が蓋を押す力が増すため良好な性能を有するが、凸枠の高さが２ｍｍ以上あれば風が蓋を押す力が効果的に増してゆくため好ましいことが分かる。また、表１１と表１２の結果を比較すると、縦横の寸法がほぼ同じであれば凸枠の形状は楕円形よりも長方形のほうが凸枠の高さを高くしてゆくときに風が蓋を押す力がほぼ二倍の大きさで増加してゆくために、凸枠の形状は楕円形よりも長方形のほうが風が蓋を押す力を増す点で優れているため最も好ましいが、楕円形でも風が蓋を押す力を十分効果的に強めることができるため好ましいことが分かる。また、表１１と表１３及び表１２と表１４の結果を比較すると、凸枠の形状が同じであれば大きさが大きいほど風が蓋を押す力が増す点で有利であるため、凸枠の形状が蓋の形状と同じ場合は凸枠を蓋前面の外周囲上に沿って設け、又は凸枠の形状が蓋の形状と違う場合は凸枠が蓋前面の外周囲に接するようにできるだけ大きく設けるほうが風が蓋を押す力を増す点で効果的であることが分かる。また、表２と表１２の結果を比較すると、くぼみBと凸枠の形状及び縦横の寸法が同じ場合は、蓋前面にくぼみBを設けた方が蓋前面上に凸枠を設けるよりも風が蓋を押す力が増す点で優れていることが分かるが、蓋前面上に凸枠を設けても十分有効な効果を有することが分かる。
一方、表２と表１５の結果を比較すると、蓋前面にくぼみBを設け、さらに凸枠を設けても風が蓋を押す力を強める点では不利であることが分かる。
【実施例５】
【００７４】
この発明の請求項８における一実施形態を、図７に示す。
図７は、鉄、ステンレス、アルミ、スチ−ル、プラスチック、木材などを素材として構成された本案のドアポスト蓋で、本体２と蓋４とから構成されている。
本体２は前面が長方形で、ドアポスト口９に対応するように長方形の新聞郵便物通過口３を本体２中央部に設ける。
本体２前面の新聞郵便物通過口３の下方部中央に、磁石５をはめ込むための深さが磁石５と金属片６を合わせた厚みと同じみぞを設け、みぞに磁石５をはめ込み接着剤などで固定する。
蓋４の前面の形状は本体２前面と同じ長方形で、蓋４は本体２の前面及び全周囲側面を覆うような形状にし、蓋４の大きさは本体２前面と同じで蓋４側面の全周囲が本体２側面の全周囲に密接するような大きさにし、蓋４背面の下方部中央に蓋４を閉じたときに本体２の磁石５に対応するように磁石５より少し小さい金属片６を接着剤で取り付ける。
蓋４前面の下方部中央に蓋４を開く際に指をかけるつまみ８を接着剤などで取り付ける。
蓋４は上部左右の二ヵ所で蝶番７を介して本体２の上部側面に開閉自在に連結される。
【００７５】
本発明は以上の構造でこれを使用するときは、ドア１のドアポスト口９に本体２の新聞郵便物通過口３を合わせて、本体２を磁石又は両面テープ又は接着又はねじなどによってドア１に設置する。
新聞や郵便物をドア１の内側に入れるときは、つまみ８をつまんで蓋４を引いて開き、新聞郵便物通過口３とドアポスト口９を通して新聞や郵便物をドア１の内側に入れる。なお、蓋４が閉じているときは、磁石５と金属片６によって生じる磁力によって蓋４は本体２に密着し隙間をなくすため、外気と隙間風がドアポスト内に侵入することを防ぐことができ、風があるときでも蓋４前面に当たる風により蓋４背面が本体２前面に密着する力を増加させるため本体２前面と蓋４背面の間の接触面から外気と隙間風が侵入することを防げる。また、蓋４を本体２の前面及び全周囲側面を覆うような形状にしたため、蓋４の形状が平面な場合に蓋４背面と本体２前面の間の接触部に生じていた隙間を覆うことができ、また、蓋４の大きさは本体２前面と同じで蓋４側面の全周囲が本体２側面の全周囲に密接する大きさにしたため、蓋４側面と本体２側面の間の隙間は最小になり、外気や隙間風が侵入することを防げるので、隙間風や外気の侵入による室温の下降や騒音を防げる。
【００７６】
「実施形態の効果」
この実施形態によれば、次に記載する効果を有する。
１．本体に設けられた磁石と蓋に設けられた金属片が密着し蓋背面と本体前面が密着し閉じた状態を保つため、本体前面と蓋背面の間の隙間から隙間風や外気が室内に侵入しにくくなるので、断熱効果が大きく隙間風による騒音が少ない。
２．蓋が本体の前面に取り付けられ本体をドアポスト口の外側に設置したため、蓋前面に当たる風よって蓋背面が本体前面に押され密着するため、風が強いほど風圧により本体前面と蓋背面の間の隙間が狭まり隙間風や外気が室内に侵入しにくくなるので、断熱効果が大きく隙間風による騒音が少ない。
３．蓋が開閉可能なためドアポストの機能を維持できる。
４．本発明のドアポスト蓋は本体に新聞郵便物通過口を設け既存のドアポスト口の上から覆うように設置する構造なため、既存のドアポスト蓋およびインドアポストをそのまま使え、各種ドアに取り付け可能である。
５．本発明のドアポスト蓋は既存のドアポスト口の上を覆うように両面テープなどで設置する構造なため、設置や取り外しが容易で、他のドアへの付け代えも容易である。
６．本発明のドアポスト蓋は既存のドアポスト蓋の上から覆うように設置する構造なため、既存のドアポスト蓋と本発明のドアポスト蓋の二重の蓋により隙間風や外気がドアポスト口から侵入しにくくなる。
７．蓋を本体の前面及び全周囲側面を覆うような形状にしたため、蓋の形状が平面な場合に蓋背面と本体前面の間の接触部に生じていた隙間を覆うことができ、また、蓋の大きさは本体前面と同じで蓋側面の全周囲が本体側面の全周囲に密接する大きさにしたため、蓋側面と本体側面の間の隙間は最小になり、外気や隙間風が侵入しにくくなるので、隙間風や外気の侵入による室温の下降や騒音を防げる。
【実施例６】
【００７７】
この発明の請求項９における一実施形態を、図８に示す。
図８は、鉄、ステンレス、アルミ、スチ−ル、プラスチック、木材などを素材として構成された本案のドアポスト蓋で、本体２と蓋４とから構成されている。
本体２は形状が前面は楕円形で、ドアポスト口９に対応するように長方形の新聞郵便物通過口３を本体２中央部に設け、本体２の新聞郵便物通過口３の周囲に本体２前面と同じ形状の楕円形の溝１２を設ける。
本体２前面の新聞郵便物通過口３の下方部中央に、磁石５をはめ込むための深さが磁石５と金属片６を合わせた厚みと同じみぞを設け、みぞに磁石５をはめ込み接着剤などで固定する。
蓋４の大きさは本体２に設けられた溝１３の外周囲よりも１ｃｍ以下広く、蓋４の形状は本体２に設けられた溝１３と同じ楕円形で、蓋４を閉じたときに本体２に設けられた溝１３に対応しはまり込むように溝１３の深さよりも低く、細く、溝１３と同じ形状及び大きさの凸枠１２を蓋４の背面に設け、蓋４背面の下方部中央に蓋４を閉じたときに本体２の磁石５に対応するように磁石５より少し小さい金属片６を接着剤で取り付ける。
蓋４前面の下方部中央に蓋４を開く際に指をかけるつまみ８を接着剤などで取り付ける。
蓋４は上部中央一ヵ所で蝶番７を介して本体２前面の上部に蓋４を閉じたとき本体２の溝１３に蓋４の凸枠１２がはまり込む位置に開閉自在に連結される。
【００７８】
本発明は以上の構造でこれを使用するときは、ドア１のドアポスト口９に本体２の新聞郵便物通過口３を合わせて、本体２を磁石又は両面テープ又は接着又はねじなどによってドア１に設置する。
新聞や郵便物をドア１の内側に入れるときは、つまみ８をつまんで蓋４を引いて開き、新聞郵便物通過口３とドアポスト口９を通して新聞や郵便物をドア１の内側に入れる。なお、蓋４が閉じているときは、磁石５と金属片６によって生じる磁力によって蓋４背面は本体２前面に密着し隙間をなくし、本体２前面に設けられた溝１３に蓋４背面に設けられた凸枠１２がはまり込み本体２前面と蓋４背面との間にできるかもしれない隙間を遮断するため、外気と隙間風がドアポスト内に侵入することを防ぐことができ、蓋４の大きさが本体２に設けられた溝１３の外周囲よりも１ｃｍ以下広いため溝１３を上から覆い溝１３に直接風が入り込まず隙間風の侵入を防ぎ、風があるときでも蓋４前面に当たる風が蓋４背面が本体２前面を押し密着する力を増加させるため本体２前面と蓋４背面の間に生じるかもしれない隙間を狭め、外気と隙間風が侵入することを防げる。
【００７９】
「実施形態の効果」
この実施形態によれば、次に記載する効果を有する。
１．本体に設けられた磁石と蓋に設けられた金属片が密着し蓋背面と本体前面が密着し閉じた状態を保つため、本体前面と蓋背面の間の隙間から隙間風や外気が室内に侵入しにくくなるので、断熱効果が大きく隙間風による騒音が少ない。
２．蓋が本体の前面に取り付けられ本体をドアポスト口の外側に設置したため、蓋前面に当たる風よって蓋背面が本体前面に押され密着するため、風が強いほど風圧により本体前面と蓋背面の間の隙間が狭まり隙間風や外気が室内に侵入しにくくなるので、断熱効果が大きく隙間風による騒音が少ない。
３．蓋が開閉可能なためドアポストの機能を維持できる。
４．本発明のドアポスト蓋は本体に新聞郵便物通過口を設け既存のドアポスト口の上から覆うように設置する構造なため、既存のドアポスト蓋およびインドアポストをそのまま使え、各種ドアに取り付け可能である。
５．本発明のドアポスト蓋は既存のドアポスト口の上を覆うように両面テープなどで設置する構造なため、設置や取り外しが容易で、他のドアへの付け代えも容易である。
６．本発明のドアポスト蓋は既存のドアポスト蓋の上から覆うように設置する構造なため、既存のドアポスト蓋と本発明のドアポスト蓋の二重の蓋により隙間風や外気がドアポスト口から侵入しにくくなる。
７．本体前面に設けられた溝に蓋背面に設けられた凸枠がはまり込み本体前面と蓋背面との間にできるかもしれない隙間を遮断するため、外気と隙間風がドアポスト口から中に侵入することを防ぐことができ、隙間風や外気が室内に侵入しにくくなり、断熱効果が大きく騒音を防げる。
８．蓋の大きさが本体に設けられた溝の外周囲よりも１ｃｍ以下広いため蓋が溝を上から覆い溝に直接風が入り込まず隙間風の侵入を防ぎ、本体に設けられた溝外周囲より１ｃｍ以下広い蓋の部分の背面に風が侵入しても蓋を背面から押し開くほどの風圧は得られないため蓋が背面から押し開かれず外気や隙間風の侵入を防げ、風があるときでも蓋前面に当たる風が蓋背面が本体前面を押し密着する力を増加させるため本体前面と蓋背面の間に生じるかもしれない隙間を狭め、外気と隙間風が侵入することを防げる。
【００８０】
「他の実施形態」
図１及び図２及び図３及び図６及び図７及び図８では、新聞郵便物通過口３の形状は長方形だが、楕円形状など新聞を通過させる上で妨げにならない形状であれば形状は特に制限されない。
図１及び図２及び図４及び図５及び図６及び図７では、本体２前面及び蓋４前面の形状は長方形であり、図８では本体２前面及び蓋４前面の形状は楕円形だが、ドアポスト口を完全に覆う形状であれば本体２及び蓋４の形状は制限されない。
図１及び図２及び図４及び図５及び図６及び図７では、蓋４と本体２を結合するために蝶番７を用いているが、蝶番７に加えばねを併用して、蓋４が閉じる力が増すようにしても良く、蝶番の個数も二個用いられているが、蓋２がスムーズに開くのであれば蝶番の個数及び設置位置は特に制限されない。
【００８１】
図１及び図２及び図６及び図７及び図８では、蓋４を本体２に密着させるために磁石５および金属片６を用いているが、磁石および金属片の大きさ及び形状及び取り付け位置は状況により適宜調整しても良く、金属片５に代えて磁石を用いても良く、また、吸着性のあるシート状の素材を蓋４背面及び／又は本体２前面に用いて、蓋４背面と本体２前面の密着を増すようにしても良く、蓋４の背面及び／又は本体２前面の新聞郵便物通過口３の周囲にゴムなどの柔らかく柔軟性のある素材を用いて本体２前面と蓋４背面との間に生じる隙間を埋めるようにしても良い。
図１及び図２及び図４及び図７及び図８では、つまみ８は突起状であるが、本体下部側面から前面の角の一部に凹状のくぼみを設けるなど、蓋４を開くときに指が掛かりやすい形状を設けるなど、指をかけ蓋を開きやすいものであれば形状や位置は制限されない。
図２の新聞郵便物通過口３及び図３のくぼみA１０の形状は前面が長方形だが、ドアポスト枠が中に収まる形状であれば形状は特に制限されない。
【００８２】
図８では、本体２に設けられた溝１３及び蓋４に設けられた凸枠１２の形状は楕円形だが、長方形など新聞郵便物通過口３の周囲に設け本体２をはみ出さない形状と大きさであれば特に制限されない。
図８では、本体２と蓋４は一個の蝶番で連結されているが、蓋２がスムーズに開くのであれば蝶番の個数及び設置位置は特に制限されない。
図８では、本体２の新聞郵便物通過口３の周囲に設けられた溝１３に蓋４背面に設けられた凸枠１２がはまり込む構造だが、本体２の溝１３の内側全面をくぼみ状にし、蓋４の形状をくぼみと同じにし、大きさをくぼみより少し小さくし、蓋４は閉じたときに本体２に設けられたくぼみにはまり込むような構造にしても良い。
【図面の簡単な説明】
【００８３】
【図１】この発明の請求項１及び請求項３及び請求項４及び請求項５における蓋が開いている状態の一実施形態を示す斜視図である。
【図２】この発明の請求項２における蓋が開いている状態の一実施形態を示す斜視図である。
【図３】この発明の請求項２における本体背面の斜視図である。
【図４】この発明の請求項３及び請求項４及び請求項５における蓋が閉じている状態の一実施形態を示す斜視図である。
【図５】この発明の請求項６及び請求項７における蓋が閉じている状態の一実施形態を示す斜視図である。
【図６】この発明の請求項６及び請求項７における蓋が開いている状態の一実施形態を示す斜視図である。
【図７】この発明の請求項８における蓋が開いている状態の一実施形態を示す斜視図である。
【図８】この発明の請求項９における蓋が開いている状態の一実施形態を示す斜視図である。
【図９】この発明の請求項３及び請求項４及び請求項５における蓋前面の正面図である。
【図１０】この発明の実施例３及び比較例１の蓋の図９におけるA−A線断面図である。
【図１１】この発明の比較例２における蓋前面の正面図である。
【図１２】この発明の比較例３における蓋前面の正面図である。
【図１３】この発明の比較例４の蓋の図９におけるA−A線断面図である。
【図１４】この発明の比較例５の蓋の図９におけるA−A線断面図及び比較例６の蓋の図１５におけるB−B線断面図である。
【図１５】この発明の比較例６における蓋前面の正面図である。
【図１６】この発明の比較例７における蓋前面の正面図である。
【図１７】この発明の比較例７の蓋の図１６におけるC−C線断面図及び比較例８の蓋の図１８におけるD−D線断面図である。
【図１８】この発明の比較例８における蓋前面の正面図である。
【図１９】この発明の実施例４における蓋の斜視図である。
【図２０】この発明の比較例９及び比較例１１における蓋の斜視図である。
【図２１】この発明の比較例１０における蓋の斜視図である。
【図２２】この発明の比較例１２における蓋の斜視図である。
【図２３】従来技術を示す斜視図である。
【図２４】特許文献１及び特許文献２における従来技術を示す斜視図である。
【図２５】特許文献３における従来技術を示す斜視図である。
【符号の説明】
【００８４】
１    ドア
２    本体
３    新聞郵便物通過口
４    蓋
５    磁石
６    金属片
７    蝶番
８    つまみ
９    ドアポスト口
１０  くぼみA
１１  くぼみB
１２  凸枠
１３  溝
１４  ドアポスト蓋
１５  ドアポスト枠
１６  インドアポスト本体
１７  インドアポストの蓋
【要約】
【課題】外気や隙間風の侵入による室温の下降と隙間風の侵入による騒音を防ぎ、既存のドアポストをそのまま用いることができ、各種ドアに設置可能で、設置が容易なドアポスト用外気侵入隙間風防止装置を提供する。
【解決手段】本体２に新聞郵便物通過口３を設け、蓋４の大きさは新聞郵便物通過口３の外周囲よりも全ての外周辺で５ｍｍ以上広く本体と同じか小さくし、蓋４前面上に表面が楕円形で底に向かって湾曲している形状で深さが２ｍｍ以上のくぼみB１１を設け、蓋４を本体２の前面に設け、本体２をドアポスト口９の外側に設置した。
【選択図】図４【図１】
0004796206.tif 000017
【図２】
0004796206.tif 000018
【図３】
0004796206.tif 000019
【図４】
0004796206.tif 000020
【図５】
0004796206.tif 000021
【図６】
0004796206.tif 000022
【図７】
0004796206.tif 000023
【図８】
0004796206.tif 000024
【図９】
0004796206.tif 000025
【図１０】
0004796206.tif 000026
【図１１】
0004796206.tif 000027
【図１２】
0004796206.tif 000028
【図１３】
0004796206.tif 000029
【図１４】
0004796206.tif 000030
【図１５】
0004796206.tif 000031
【図１６】
0004796206.tif 000032
【図１７】
0004796206.tif 000033
【図１８】
0004796206.tif 000034
【図１９】
0004796206.tif 000035
【図２０】
0004796206.tif 000036
【図２１】
0004796206.tif 000037
【図２２】
0004796206.tif 000038
【図２３】
0004796206.tif 000039
【図２４】
0004796206.tif 000040
【図２５】
0004796206.tif 000041